【手続補正書】
【提出日】平成21年8月7日(2009.8.7)
【手続補正１】
【補正対象書類名】特許請求の範囲
【補正対象項目名】全文
【補正方法】変更
【補正の内容】
【特許請求の範囲】
【請求項１】
シランエーテルモノマーと有機変性シランエーテルモノマーの混合物と、加水分解剤とを一段階で互いに反応させることを含む疎水性シリカ粒子を調製するための方法。
【請求項２】
前記シランエーテルモノマーが、ＴＡＯＳ（テトラアルコキシシラン）モノマーである請求項１に記載の方法。
【請求項３】
前記有機変性シランエーテルモノマーが、アリール含有基を含む請求項１または請求項２に記載の方法。
【請求項４】
前記有機変性シランエーテルモノマーが、芳香族平面基を含む請求項１または請求項２に記載の方法。
【請求項５】
ＴＥＯＳ（テトラエトキシシラン）モノマーとＰＴＥＯＳモノマー（フェニルトリエトキシシラン）の混合物と、加水分解剤とを一段階で互いに反応させることを含む先行する請求項のいずれかに記載の方法。
【請求項６】
前記シランエーテルモノマーが、ＴＭＯＳ（テトラメトキシシラン）モノマーである請求項１から４のいずれかに記載の方法。
【請求項７】
前記加水分解剤が、酸またはアルカリである先行する請求項のいずれかに記載の方法。
【請求項８】
染料分子および／または有色粒子が、前記モノマーと加水分解剤の混合物に含まれ、それによって、前記疎水性シリカ粒子に取り込まれる先行する請求項のいずれかに記載の方法。
【請求項９】
前記染料分子および／または有色粒子が、平面芳香族部分構造を含む請求項８に記載の方法。
【請求項１０】
前記染料分子および／または有色粒子が、正電荷を有する官能基を含む請求項９に記載の方法。
【請求項１１】
前記染料分子および／または有色粒子が、ローダミンＢ、ローダミン６Ｇ、カーボンブラック、二酸化チタン、磁鉄鉱、クリスタルバイオレットおよびメチレンブルーから選択される請求項８から１０のいずれかに記載の方法。
【請求項１２】
磁性および／または常磁性粒子が、前記モノマーと加水分解剤の混合物に含まれ、それによって、前記疎水性シリカ粒子に取り込まれる先行する請求項のいずれかに記載の方法。
【請求項１３】
前記モノマーが、ＴＥＯＳモノマーおよびＰＴＥＯＳモノマーである請求項１２に記載の方法。
【請求項１４】
赤鉄鉱、二酸化チタン、カーボンブラックまたは磁鉄鉱が、前記モノマーの混合物に含まれる請求項１２または請求項１３に記載の方法。
【請求項１５】
ａ．請求項１から１２のいずれかに記載の方法から得られた疎水性シリカ粒子を含有する、反応生成物を遠心分離すること；
ｂ．その反応生成物を水相に懸濁させること；
ｃ．その反応生成物をその水相から有機相に抽出すること；
ｄ．その有機相を蒸発させること；および
ｅ．（ｄ）において得られた生成物を粉砕し、篩い分けして、疎水性シリカミクロ粒子を形成することをさらに含む先行する請求項のいずれかに記載の方法。
【請求項１６】
前記有機相が、非極性溶剤または低い極性を有する溶剤、例えばジクロロメタンである請求項１５に記載の方法。
【請求項１７】
前記ミクロ粒子が、約１０から約９０μｍ、任意で約４５から約６５μｍ、およびさらに、任意で約６５から約９０μｍの平均直径を有する請求項１５または請求項１６に記載の方法。
【請求項１８】
請求項１から１１のいずれかに記載の方法から得られた疎水性シリカ粒子を含む反応生成物を水溶液：溶剤溶液に懸濁させて、疎水性ナノ粒子の懸濁液を形成することをさらに含む請求項１から１４のいずれかに記載の方法。
【請求項１９】
（ｉ）前記疎水性シリカ粒子を流体に懸濁させ、その懸濁液を遠心分離し、粒子を回収すること；
（ｉｉ）その粒子を流体に再懸濁させ、再遠心分離し、再回収すること；および任意で
（ｉｉｉ）少なくとも一回（ｉｉ）を繰り返し、それによって疎水性ナノ粒子を懸濁させることをさらに含む請求項１から１１のいずれかに記載の方法。
【請求項２０】
前記流体が、水および有機溶剤を含む混合物である請求項１９に記載の方法。
【請求項２１】
前記最初の流体が、約６０（水）：４０（溶剤）から約４０：６０の混合比での水と有機溶剤の混合物を含む請求項２０に記載の方法。
【請求項２２】
前記混合物中の溶剤の割合を最初の懸濁（ｉ）と最後の懸濁の間で増加させる請求項２０または２１に記載の方法。
【請求項２３】
前記ナノ粒子が、約２００から約９００ｎｍの平均直径、任意で約３００から約６００ｎｍの平均直径、およびさらに、任意で約４００から約５００ｎｍの平均直径を有する請求項１４から１８のいずれかに記載の方法。
【請求項２４】
前記シランエーテルがＴＥＯＳであり、前記有機変性シランエーテルがＰＴＥＯＳであるとき、ＴＥＯＳ：ＰＴＥＯＳの比率が、１：１  ｖ／ｖである先行する請求項のいずれかに記載の方法。
【請求項２５】
前記粒子を乾燥させて前記粒子の凝集を助長してミクロ粒子を形成する最終段階を含む請求項１７から２３のいずれかに記載の方法。
【請求項２６】
ある表面上の疎水性領域または付着物、例えば潜在指紋を検出するための薬剤としての疎水性シリカ粒子の使用。
【請求項２７】
前記疎水性シリカ粒子を請求項１から２５のいずれかに記載の方法によって得ることができる請求項２６に記載の使用。
【請求項２８】
前記疎水性シリカ粒子が、粉塵または懸濁液の中で前記表面に塗布される請求項２６または請求項２７に記載の使用。
【請求項２９】
前記懸濁液が、エタノール水性懸濁液である請求項２７に記載の使用。
【請求項３０】
前記シリカ粒子が、指紋の表面に塗布されたときに前記粒子を画像化するための染料分子および／または有色粒子をさらに含む請求項２６から２９のいずれかに記載の使用。
【請求項３１】
前記粒子が、ミクロ粒子であり、ならびに約１０μｍから約９０μｍの間、任意で約４５から約６５μｍまで、およびさらに、任意で約６５から約９０μｍまでの平均直径を有し、任意で、前記ミクロ粒子が、指紋と接触させるための散粉剤に含まれるか、又は、前記粒子が、ナノ粒子であり、ならびに約１００から９００ｎｍまで、任意で約３００から約６００ｎｍまで、およびさらに任意で約４００から５００ｎｍの平均直径を有し、任意で、前記薬剤が、エタノール水性懸濁液中の前記ナノ粒子を含む請求項２６から３０のいずれかに記載の使用。
【請求項３２】
指紋があるまたはあるかもしれない領域と、疎水性シリカ粒子を含む薬剤とを接触させることを含む、指紋または他の疎水性塊もしくは付着物を検出および／または同定するための方法。
【請求項３３】
前記シリカ粒子を請求項１から２７のいずれかに記載の方法によって得ることができる請求項３２に記載の方法。
【請求項３４】
指紋を視覚化または画像化することをさらに含む方法であって、前記シリカ粒子が、視覚化または画像化剤を含み、前記粒子を前記表面と接触させた後、視覚化および／または画像化することを含む請求項３２または請求項３３に記載の方法。
【請求項３５】
前記粒子が、指紋を画像化するための染料分子を含む請求項３４に記載の方法。
【請求項３６】
前記粒子が、磁気アプリケータを使用してその領域に前記薬剤を塗布することを可能にする磁性または常磁性粒子を含む請求項３２から３５のいずれかに記載の方法。
【請求項３７】
光学的方法を使用して指紋を視覚化することをさらに含み、任意で、その光学的方法が、ＵＶサーチライト；ならびに、平床式光学スキャナ、蛍光スキャナおよびＵＶ可視スキャナを含む光学スキャナから選択される請求項３２から３６のいずれかに記載の方法。
【請求項３８】
請求項１から２５のいずれか一項に記載の方法によって得ることができる疎水性シリカ粒子、例えば、約２００ｎｍから９００ｎｍまたは約１０μｍから約９０μｍまでの平均直径を有する粒子。
【請求項３９】
染料分子と、
（ｉ）磁化性または常磁化性粒子；
（ｉｉ）より小さなナノ粒子の合体であるミクロ粒子であって、１０μｍから約９０μｍの間の平均直径を有するミクロ粒子である；または
（ｉｉｉ）約２００ｎｍから約９００ｎｍの平均直径を有するナノ粒子である
という特徴のうちの一つ以上とを含む疎水性シリカ粒子。